(57)【要約】【課題】  本発明が解決しようとする課題は、指輪等を保持した状態に於いて、指輪等の状態が容易に確認でき、且つ保持した状態で宝飾品等の清掃や補修等が容易で、必要に応じて挟持部材の隙間を適切な隙間に変更する場合も、工具等を用いることなく、容易、且つ確実に変更し、または調節することが可能で、宝飾品等を挟み込み、或いは抜き取り時、宝飾品にかかる必要以上の押圧による抵抗を緩和し、挟み込み又は抜き取り作業を行うことのでき、縦揺れ等を最小限に止め、片手でも抜き差し作業が可能な宝飾品等の保持具を提供することで有る。【解決手段】  宝飾品等を収納又は保持する保持具であって、前記宝飾品等を挟持部材の隙間の距離を自在に設定し、または前記隙間を必要に応じて変更する場合に於いて工具等を用いること無く前記変更できる手段を備えたことである。【選択図】図１
2018075336.tif 000002
【特許請求の範囲】
【請求項１】
宝飾品等を収納又は保持する保持具であって、前記宝飾品等を挟持部材の隙間の距離を自在に設定し、または前記隙間を必要に応じて変更する場合に於いて工具等を用いること無く変更できる手段を備えたことを特徴とする宝飾品等の保持具。
【請求項２】
平坦な該基板に複数の開口部を設け、前記開口部に挿着する挿入部を前記係止部材に形成し、前記係止部材の面に前記挟持部材を保持する係止部を設けた請求項１記載の宝飾品等の保持具。
【請求項３】
前記係止部材の一端に欠切を介して前記挟持部材の通過部を形成した請求項２記載の宝飾品等の保持具。
【発明の詳細な説明】
【技術分野】
【０００１】
【背景技術】
【０００２】  従来、指輪等を保管する場合、発泡ウレタン又はスポンジ等の不透明なクッション材にスリットを設け、このスリットに指輪のリング部分を挿入し、保持させて収納したり、二個の不透明なクッション材を密着させて、スリット状態を形成し指輪等のリング部分を挿入保持し保管する方法が実用に供せられている。【０００３】  また、引き出しを収納自在とする複数のボックスを、回動自在に軸着し、その引き出し内に、指輪やイヤリング、ブローチ、ネックレス等を留め置くものとして、コイル状の係止具を設け、先の引き出し内にコイル状の係止具を留めるマットを設ける考えがあった。
【先行技術文献】
【０００４】
【特許文献】
【特許文献】  実開平７−４３３０３
【発明の概要】
【発明が解決しようとする課題】
【０００５】  上記、背景技術［０００２］記載の技術に依れば、不透明なクッション材に依って、指輪のリング部分を挟持するため、リング部分の汚れやキズ等の状態を確認するには一度、挟持されたリング部分を引き抜いて確認する以外に方法がなかった。【０００６】また、その都度着用する洋服とリングや宝石部分との色彩バランス等を確認する場合、一度、指にはめて見るのが適切であるが、そのためには、ケース内に保持した指輪を一度引き抜く作業が必要であり、外出時間に追われて指輪の交換をする場合もあり、極めて煩わしかった。【０００７】  更に、上記のような多忙を極める外出時にあっては、使用中の汚れや疵の補修や清掃が困難であるため、後日、合間を見つけて清掃や補修をする必要があり、指輪等を保持した状態での目視確認ができないため、やはり、記憶に任せて抜き取り、清掃や補修等のメンテナンスをする等の不便があった。【０００８】  また、先行技術文献「実願平７−４３３０３」に於いては、指輪やネックレス、イヤリング、ブローチ等の装身具を留め置く場合、コイル状の係止具を、所謂、密着状のコイルバネ引き伸ばして生じたそれぞれの隙間に、前記指輪やネックレス、イヤリング、ブローチ等を挟み込んで係止し保持する構造であるが、引き延ばしたコイルバネはある程度の挟持力が必要となるが指輪の場合、リング部分の幅の寸法は細いタイプ、太いタイプがあり、更にはイヤリング、ネックレス、ブローチ等を挟持させる場合その部分の厚みや幅が極めて多様である。【０００９】  言い換えれば、挟持する部分の幅、又はブローチ等であれば厚みがまちまちで、コイルバネの隙間を指で押し開いて差し込むか、或いはリング部分等の端の薄い部分をコイル状の係止具の隙間にかけて、こじ開けてねじ込んだり、又はコイルバネの隙間が広い場合、挿入した宝飾品を安定的に挟持することができず、わずかな衝撃で脱落する等、使用時に宝飾品のスムースな且つ、安定的な保持が困難だった。【００１０】  又、抜き取りに際しても、コイル状係止具の隙間が狭い状態で宝飾品等を挟持してある場合、前記コイルバネ状の係止具による押圧力が高まり、この結果抜き取り作業時には高まった押圧力に抗し無理矢理抜き取らなければならない等の困難が生じる。【００１１】  コイル状の係止具を保持する方法として以下の記述がある［０００８］また、前記第１実施例の使用例として、図面、図２、図３、図４、図５を説明すれば、引き出し２内に、複数の孔５を設けてなるマット４を、またはネット状マット６を内敷する。そのマット４の孔５，もしくはネット状マット６の隙間に、樹脂製またはゴム（合成を含む）又は金属性素材にて形成した、コイル状７のそれぞれの先端を挿入して留め置く（コイル状の下部を紐で止めても良い）ものである。と記載されており、丁度、両端を一点ずつで支持する状態となり、コイル状は略円柱状であるため、留め置き状態は著しく不安定であり、リング等の抜き差し作業の僅かな力で揺れ動くため作業が著しくやりにくい。【００１２】  従って、本発明が解決しようとする課題は、指輪等を保持した状態に於いて、指輪等の状態が容易に確認でき、且つ保持した状態で宝飾品等の清掃や補修等、メンテナンスの選択を素早く目視���認可能で、必要に応じてコイル状の挟持部材の隙間を適切な隙間に変更する場合に於いても、工具等を用いることなく、容易、且つ確実に変更し、または調節することが可能で、宝飾品等を挟み込む際、或いは抜き取る祭、宝飾品にかかる必要以上の押圧による抵抗を緩和し、且つ容易、且つ安定的にコイル状への挟み込み又は抜き取り作業を行うことのでき、コイル状の挟持部材が横揺れ、又は縦揺れ等を最小限に止め、不安定な状態が発生することなく、片手でも抜き差し作業が可能な宝飾品等の保持具を提供することで有る。【００１３】  本発明の請求項１に依れば、宝飾品等を収納又は保持する保持具であって、基板１の面に係止部材２を介して宝飾品Ｒ等を保持する挟持部材５の隙間Ｐの距離を自在に設定し、または隙間Ｐ又はＰ２を必要に応じて変更する場合に於いて工具等を用いること無く前記変更できる手段を備えたことである。【００１４】  尚、上記の挟持部材の隙間の距離を自在に設定し、または前記隙間を必要に応じて変更する場合に工具等を用いること無く前記変更できる手段を備えたこととは、該基板１に係止部材２を適宜配置し、前記係止部材２の面に前記挟持部材５を係止し保持する係止部３を着脱自在に設けた事である。【００１５】  本発明の請求項２に依れば平坦な基板１に複数の開口部１Ａ、１Ａを設け、係止部材２を開口部１Ａ、１Ａに挿着する挿入部２Ａ、２Ａを形成し、係止部材２の面に挟持部材５を保持する係止部３を設けたことである。【００１６】  本発明の請求項３に依れば、係止部材２の一端に欠切２Ｄを介して挟持部材５の通過部２Ｅを形成したことである。
【発明の効果】
【００１７】  従って本発明に依れば、ある程度引き伸ばされた状態にある挟持部材５の隙間から挟持した指輪等の宝飾品の状態が極めて容易に目視確認ができ、挟持部材５で保持状態に於いても、宝飾品等の清掃や補修等、必要な物を素早く選択する事ができるから、清掃や磨き等のメンテナンスを手早くすることができる。【００１８】  また、予め基板１の面に配置された状態の係止部材２の上端部に密着状のコイルバネの適宜な位置を乗せ、挟持部材５のコイル状の部分に隙間を生じさせ、挟持部材５に生じた隙間を介して係止部材２の面を摺動、降下させると、挟持部材５は係止部材２の面に形成された係止部３の面に沿って移動し、係止部３と基板１の面の間に形成される隙間４に達し、挟持部材５のバネの力によって挟持部材５は隙間４に落ち込み係止部材２を挟着し保持することができる。【００１９】  更に、挟持部材５は密着状に復元する力が働くため、隙間４に落ち込み係止部３に依って係止された状態を確保し、且つ容易に脱落しない保持状態を維持する。更に係止部３は挟持部材５の内径と同程度、又は若干大きい円形状、又は半円状に形成されているから、挟持部材５による力が働き、この力によって、例えば横方向、又は上下方向から大きな引っ張り力等が働いた場合、挟持部材５の力によって、挟持部材５の巻きが逆転し挟持している位置が移動したりまたは、ずれて挟持部材５の隙間Ｐ又は隙間Ｐ２の距離に変更が生ずることは無く、安定的且つ、確実に挟持部材５と隙間Ｐ又は隙間Ｐ２を保持し続けることが出来るから、指輪その他の宝飾品等を片手で挿入したり抜き取ることも極めて容易且つ安定してできる。【００２０】  また、係止部材２の両面に係止部３、３が形成されているため、挟持部材５を係止した場合、必ず、何れかの面にテンションが係るから、常に安定的に係止部３に係止され保持することが可能であり、また係止部材２の両側から同程度にテンションが働く場合に於いても、脱落する等の問題を生ずることは無い。【００２１】  挟持部材５の隙間Ｐ又はＰ２を変更するには、係止部材２の両側、係止部３、３に係止されている挟持部材５の下側に指等を掛け、この下側の隙間を広げるように挟持部材５を反らせることにより、挟持部材５の下側の隙間が広がり、隙間４に入り込んでいる挟持部材５の線材が脱し、係止部３から挟持部材５取り外すことが出来る。【００２２】  従って、他の係止部材２の面に形成された係止部３に係止されている挟持部材５に於いても、前記と同様の操作を経て、上方向に極めて容易に引き抜くことが出来、工具等は一切用いる必要はなく、上記の操作を何度でも繰り返すことができるから、常に指輪やその他の宝飾品は最適な状況を繰り返し保持しつつ、何度でも適切な挟持部５の隙間Ｐ又はＰ２を容易に変更し保持することができる。【００２３】  また、工具等を用いることなく、容易、且つ確実に変更し、または調節することができることで、常に適切な隙間Ｐ又は隙間Ｐ２を自在に形成すること可能となるため、挟持部材５に指輪等装身具Ｒを挟み込む際、或いは抜き取る祭、指輪等装身具Ｒにかかる押圧力は必要最小限度で調整できるから、摩擦抵抗は緩和され、挿入又は抜き取りに際しては素早く極めて容易な作業で終了す���ことができる。【００２４】  更に、係止部材２を複数、並列状に配置し、この係止部材２に挟持部材５を設置し、並列状の挟持部材５に同時に指輪やブローチ、ネックレス、イヤリング、その他の宝飾品等を挟持させて保管や整理をすることも可能であるから、指輪等を保持した状態に於いて、指輪等の状態が容易に目視確認でき、且つ保持した状態で宝飾品等の清掃や補修等、メンテナンスの選択を素早く目視確認可能で、必要に応じてコイル状の挟持部材の隙間を適切な隙間に変更する場合に於いても、工具等を一切用いることなく、容易、且つ確実に変更し、または調節することが可能で、宝飾品等を挟み込む際、或いは抜き取る祭、宝飾品にかかる必要以上の押圧による抵抗を緩和し、且つ容易、且つ安定的にコイル状への挟み込み又は抜き取り作業を行うことのできると共に、コイル状の挟持部材が横揺れ、又は縦揺れ等を最小限に押さえ、不安定な状態を起こすことの無い宝飾品等の保持具を提供することができる。
【図面の簡単な説明】
【００２５】
【図１】本発明の宝飾品等の保持具の基板を示す斜視図である。
【図２】本発明の宝飾品等の保持具の挟持部材を示す斜視図である。
【図３】本発明の宝飾品等の保持具のＡ、ＡＡ断面斜視図である。
【図４】本発明の宝飾品等の保持具の挟持部材を保持した一例を示すＢ、ＢＢ断面の斜視図である。
【図５】本発明の宝飾品等の保持具の挟持部材を保持しリング等を挿入した状態を示すＢ、ＢＢ断面の斜視図である。
【図６】本発明の宝飾品等の保持具請求項２の基板を示す斜視図である。
【図７】本発明の宝飾品等の保持具請求項２の係止部材を示す斜視図である。
【図８】本発明の宝飾品等の保持具請求項３の係止部材を示す斜視図である。
【図９】本発明の宝飾品等の保持具実施例１の係止部材を示す斜視図である
【図１０】本発明の宝飾品等の保持具請求項３の挟持部材の装着状態を示すＣ、ＣＣ断面斜視図である。
【図１１】本発明の宝飾品等の保持具の実施例２の基板と係止部材の関係を示す拡大の断面斜視図である。
【図１２】本発明の宝飾品等の保持具の実施例３の基板と係止部材の関係を示す拡大の断面斜視図である。
【発明を実施するための形態】
【００２６】  以下、本発明を実施するための形態を図面に基づいて説明すると、図１は本発明の宝飾品等の保持具の基板を示す斜視図、図２は本発明の宝飾品等の保持具の挟持部材を示す斜視図、図３は本発明の宝飾品等の保持具のＡ、ＡＡ断面斜視図、図４は本発明の宝飾品等の保持具の挟持部材を保持した一例を示すＢ、ＢＢ断面の斜視図、図５は本発明の宝飾品等の保持具の挟持部材を保持しリング等を挿入した状態を示すＢ、ＢＢ断面の斜視図で、ある程度の硬度を有する適宜素材を用いて平坦な基板１の面に適宜大きさと厚みから成る複数の係止部材２を配置し（図１）、この複数の係止部材２の側面に、挟持部材５（図２）を係止するため突出状の係止部３（図１、図３）を設けると良い。
【００２７】  この際、基板１の面と複数の係止部材２の関係を述べれば、基板１の面に対し複数の係止部材２を並列に配置し、挟持部材５を係止し易く設けると良く、或いは基板１の面に対し係止部３が形成された面が、若干傾斜するように設けることも可能であり（若干傾斜状態は図示しない）、係止部材２は挟持部材５が直線状に係止可能に整然と配置（図１）し、この配置は一本でも良く、又、例えば複数、又は更に多数の挟持部材５を並列に配置することも可能である。
【００２８】  更に、基板１を適宜な容器（図示しない）等に収納可能な形状、又は大きさでも良く、又、容器に収納すること無く、そのままの状態で使用することも可能であり、基板１を形成する素材はプラスチック等の他、金属又は圧搾紙等を用いて形成しすることも可能で、見栄えや加工の容易性、製造コストや使用上の安全性、使用時の安定性等を考慮して選択し形成することが望ましい。
【００２９】  又、前記ある程度の硬度を有する適宜素材から成る、平坦な基板１の面に適宜大きさと厚みから成る複数の係止部材２とは、挟持部材５を係止部材２、２に適宜引き延ばして係止した場合に於いて、基板１及び係止部材２、２に歪みを生じたり、基板１がたわんだりすることの無い厚みと硬度であって、特に係止部材２は挟持部材５の巻き線の間に挿入し係止し易い厚みと強度、大きさを言う。
【００３０】  また係止部材２を形成する場合、係止部３とコイル状の挟持部材５の関係を述べれば、挟持部材５を係止部３に挿入係止するに当たって、係止部材２に密着バネ状の挟持部材５の密着した部分を挿入した場合に於いて、挟持部材５の内径周胴に入り込み可能な形状であって、挟持部材５を引き延ばす力が働いた場合、挟持部材５の伸張に伴い、回転しながら滑動することの無い寸法で係止部３を形成することが望ましい。
【００３１】  係止部３は係止部材２の面の適宜な位置から徐々に高くなって下端に段差が生じ、挟持部材５が確実、且つ安定的に係止され、更に挟持部材５を確実に係止するに充分な高さによって構成されることが望ましく（図１、図３、図４、図５）、なお（図示しないが）係止部３は挟持部材５の内周胴の径に密着する状態であったも差し支えない。
【００３２】  更に、係止部３の下端から基板１の表面に掛けて、係止部３に挟持部材５を係止する際、容易、且つ確実で充分に掛け留めることを可能ならしめるため、隙間４（図３）を形成すると良く、係止部材２の上部端から係止部３の最下端までの距離は、挟持部材５の内径の直径と同じか或いは若干長い程度であって、例えば係止部３に挟持部材５が係止され且つ、指輪等を挿入又は引き抜き等の力に対し、挟持部材５が横揺れ又は縦揺れ等の不安定要素を排除できる寸法である事が望ましく、係止部３が挟持部材５の内径のある範囲を補足し係止部材上部を跨ぎながら越えることで、挟持部材５は完全に支持され、挟持部材５の横揺れは完全に抑制されることが望ましい。
【００３３】  又、挟持部材５はコイル状で一般的には密着バネと呼ばれる物で良く、復元力に富んでいることが望ましく、所謂、引っ張り力を用いて指輪Ｒやその他のアクセサリー等の宝飾品を挟持することが充分に可能な引っ張り力（復元力）を備えていることが望ましく、挟持部材５を係止部材２の上方向の縁部から挿着するに際し、必要に応じて（図示しないが）係止部材２の上方の先端部を薄く、又は、山形状、又は円弧状等、適宜な形状に形成することも可能であり、この場合、挟持部材５の略端部付近の密着バネ状の線材の巻きと巻きの隙間に係止部材２の先端を挿入し易くすることも可能であることは言うまでも無い。
【００３４】  従って、本発明の宝飾品等の保持具を用いるには、基板１の少なくとも一方の面に配置した係止部材２の上方向から挟持部材５を挿入するが、挟持部材５の端部付近に当たる位置、例えば図４に於ける５Ａ付近を係止部材２の上端に押し当て、挟持部材５を若干引き伸ばし、その隙間に係止部材２の先端をを挟み込むように挿入すると、挟持部材５は係止部材２の上方向から係止部材２の下方向に移動し、係止部３を通過して更に隙間４に挟持部材５の下部が入り込み、挟持部材５の内周の下側の部分が係止部３に確実、且つ、安定的な係止状態で保持されることが望ましい。
【００３５】  この時、係止部材２の上部端から係止部３の最下端までの距離は、挟持部材５の内径の寸法と略同一か、若しくは若干長く形成しすると良く、或いは掛け留めた挟持部材５に緩みの生じない程度の距離で有っても良く、例えば係止部３に挟持部材５が無理なく係止されることで、係止部３は挟持部材５の内径に於けるある程度の距離に渡って接しており、更に係止部材２の上端を挟持部材５の内径が跨ぐ様に超えて反対側に形成された係止部３に係止されるため、挟持部材５は係止部材２の上端と係止部３に依って伸張され横揺れ又は縦揺れ等の不安定要素は完全に排除され、挟持部材５は極めて安定的、又は確実に係止体３に保持される（図４）ことが望ましい。
【００３６】  換言すれば、本発明の特徴は、コイル状の挟持部材５が係止部材２の上縁部を越えて係止部材２に跨がる形でそれぞれの面に形成された係止部３、３に内径の下側が係け止められるため、上下に引っ張り力が加わり、更には挟持部材５の内径に入り込んだ係止部３によってある程度の内周部分が保持されるため、極めて安定的、且つ確実に挟持部材５は保持されることが望ましい。
【００３７】  従って（上記、必要に応じてとは）例えば一般的に流通に供せられている指輪の場合、リング部分の幅が広いタイプであれば、その幅は大凡５ミリメートル乃至６ミリメートルであり、婦人物の幅の狭いタイプであれば３ミリメートル程度であるから、これらの幅と比較し、リング部分の幅より若干狭く設定することで、挟持力を生ずるから挟持部材５の間隙Ｐを変化させながら、挟持部材５を係止部材２に係止する（図５）ことが望ましい。
【００３８】  また、細い幅に合わせた挟持部材５に広い幅の指輪を挟持させようとすると、指輪を捻り、こじ開けながら押し込む必要が生じるためスムーズな保持作業は困難であり、又、広い幅の指輪に合わせた挟持部材５の間隔Ｐで有れば、幅の狭い指輪を挿入しても挟持するための挟持力が生じないため、脱落してしまい、安定的な保持は不可能となるが、本発明の宝飾品等の保持具に於いては、工具等を用いることなく、常に適切な間隔Ｐ、又は適切な間隔Ｐ２を素手で極めて容易に形成することが望ましい。
【００３９】  更に、挟持部材５に挟持する指輪Ｒやブローチ他宝飾品等に擦り傷等が生ずる危険を避けるため、挟持部材５は断面円形の金属であるから、通常に於いては必要としないが、安一の場合、必要に応じてゴム又は合成樹脂等で被覆することは可能であり、更には、挟持部材５を形成する素材として、宝飾品より柔らかい、ポリカーボネート、硬質の塩化ビニール、アクリル樹脂等の合成樹脂を用いても同様の作用及び効果を得ることが望ましい。
【００４０】  従って、本発明の請求項１の作用と効果を述べれば、予め基板１の面に配置された状態の係止部材２の上端部に挟持部材５の密着状のコイルバネの適宜な位置を乗せ、挟持部材５に隙間が生じる方向から押厚し、挟持部材５に生じた隙間を介して係止部材２の面を滑動して降下させ、係止部材２の面に形成された係止部３の面に沿って移動し、係止部３と基板１の面の間に形成される隙間４に達し、挟持部材５の反発力によって挟持部材５は隙間４に落ち込み係止部材２を挟み込む状態で保持することができる。
【００４１】  また、挟持部材５は密着状のコイルバネに復元する力が働くため、隙間４に落ち込み係止部３に係止された状態を確保し、且つ容易に脱落しない保持状態を維持し、更には係止部３は挟持部材５の内径と同程度、又は若干大きい円形状、又は半円状に形成されているから、挟持部材５による巻き締め力が働くため、この力によって、例えば大きな引っ張り力等が働いた場合でも、挟持部材５の巻きが逆転して係止部材２を挟持している位置が移動しまたは、ずれて挟持部材５の隙間Ｐ又は隙間Ｐ２の距離に変更が生ずることは無く、安定的且つ、確実に挟持部材５を保持し続けることが出来る。
【００４２】  更に、係止部材２の両面に係止部３、３が形成されているため、挟持部材５を係止した場合、必ず、何れかの面にテンションが生じ、常に安定的に係止部３に係止され保持することが可能のであり、また係止部材２の両側から同程度にテンションが働く場合に於いても、脱落することの無い高さに形成されているから、何ら問題を生ずることは無い。
【００４３】  また一度、係止部材２に係止された挟持部材５の隙間Ｐ又はＰ２を変更するには、係止部材２の両側、係止部３、３に係止されている挟持部材５の下側に指等を掛け、この下側の隙間を広げるように挟持部材５を反らせることにより、挟持部材５の下側の隙間が広がり、隙間４に入り込んでいる挟持部材５の線材が脱し、係止部３から挟持部材５取り外すことが出来る。
【００４４】  更に、他の係止部材２の面に形成された係止部３に係止されている挟持部材５に於いても、前記と同様の操作を経て、上方向に極めて容易に引き抜くことが出来、工具等は一切用いる必要はなく、上記の操作を何度でも繰り返すことができるから、常に指輪やその他の宝飾品は最適な状況で創出し、何度でも適切な挟持部材５の隙間Ｐ又はＰ２を容易に変更し、保持することができる。
【００４５】  また、コイル状の挟持部材５で指輪等装身具Ｒを保持した状態に於いて、指輪等装身具Ｒの状態は挟持部材５に生じた隙間Ｐ又は隙間Ｐ２を介して容易に目視確認ができ、保持した指輪等装身具Ｒの清掃や補修やメンテナンス等の選択を手早くすることができると共に、必要に応じてコイル状の挟持部材５の隙間Ｐ又はＰ２を適切な隙間に変更する場合に於いても、工具等を用いることなく、容易、且つ確実に変更し、または調節することができ、挟持部材５に指輪等装身具Ｒを挟み込む際、或いは抜き取る祭、指輪等装身具Ｒにかかる押圧力による抵抗を緩和することもできるから、挿入又は抜き取りに際して極めて容易な作業となるばかりか、挟持部材５の隙間から挟持した装身具等の宝飾品が容易に極めて容易に目視確認（図５）ができる等、その効果は大きい。
【００４６】  本発明の請求項２に於ける発明の実施の形態を図６、図７に基づいて説明すると、平坦な基板１に複数の開口部１Ａ、１Ａを配し、基板１に係止部材２を配置するに当たり、係止部材２の端部に嵌脱自在な挿入部２Ａ、２Ａを形成し、更に係止部材２の面に係止部３、３を形成し、指輪等装身具Ｒを保持するために挟持部材５を着脱自在に取り付け可能とすることが望ましい。
【００４７】  請求項１に於いては、基板１と係止部材２を一体に形成しているが、この請求項２に於いては基板１と係止部材２を別途形成し、分離可能としたもので、使用時以外は分解して保管や輸送時等の小型化が可能となるもので、平坦な基板１（図６）の適宜な位置に複数の開口部１Ａ、１Ａを配しとは、別途形成した係止部材２（図７）を全ての開口部１Ａ、１Ａ配置すると言うことでは無く、必要に応じて必要な位置に設けた開口部１Ａ、１Ａに挿入部２Ａ、２Ａを挿着配置すると言うことで、その際係止部材２の一端に突出せる複数の挿入部２Ａ、２Ａを形成することが望ましく、挿入部２Ａ、２Ａは開口部１Ａ、１Ａに抜き差し可能に形成すると共に、挿入が容易で且つ安定的に基板１に保持可能な寸法、例えば、若干のテーパー状に形成することが望ましい。
【００４８】  従って、基板１と複数の開口部１Ａ、１Ａと係止部材２の関係を詳細に述べれば、係止部材２を基板１の表面に配置するに際し、係止部材２の一端に形成した挿入部２Ａ、２Ａを開口部１Ａ、１Ａに挿入するが、この係止部材２の面には係止部３を形成し、係止部３の面が対向し略直列状に配置するに支障を来さない程度以上に直列状に複数の係止部材２、２配置可能で、この直列状を少なくとも１列以、願わくば複数列、並列に適宜間隔で配置可能であることが望ましい。
【００４９】  これは、複数の開口部１Ａ、１Ａをある程度の間隔で、係止部材２を同数、或いは使用する係止部材２の数量以上の数を配置可能に設けることであり、全ての開口部１Ａ、１Ａにそれぞれ係止部材２の挿入部２Ａ、２Ａを挿入し配置することでは無く、任意に選択して挿入し配置することが望ましい。
【００５０】  また、挿入部２Ａ、２Ａを形成するにあたり、開口部１Ａ、１Ａに挿入し配置された係止部材２が揺れや、捻れを生ずること無く、基板１に安定的に配設状態が維持可能であり、保持部材２の面の一方、又は両方の面に挟持部材５を安定的且つ、確実に保持するための係止部３が設けてある。
【００５１】  更に、係止部３と基板１の関係を述べれば、基板１の表面から係止部３の下端の間に、挟持部材５が嵌まり込むに適した隙間４を形成すると良く、基板１に設けた複数の開口部１Ａ、１Ａに挿入部２Ａ、２Ａを挿入した後は、請求項２に於いても請求項１と同様の操作をすることで、同様の作用と効果を得ることができると共に、基板１に設けた複数の開口部１Ａ、１Ａに挿入部２Ａ、２Ａを挿入するに際し、係止部材２、２の間隔を自在に選択し、変更することが可能で、それによってリング又は宝飾品等の装飾品Ｒ保持する量や種類を増加させたり、又は調整することが可能で、請求項１と同様の作用、及び効果を得ることができる。
【００５２】  次に、本発明の宝飾品等の保持具の請求項３を図８に基づいて説明する。請求項１及び請求項２に於いては、係止部材２の上方端部を挟持部材５が跨ぐ如くに越えて係止し固定するが、この請求項３に於いては、係止部材２を潜る如く越えるのが特徴で、平坦な係止部材２の一端に挟持部材５を構成する素材の螺線が通過させるための通過部２Ｅを欠切２Ｄを介して形成し、この切欠２Ｄを介して両側を挿入部２Ａ、２Ａとして形成することも可能で、この時、挿入部２Ａ、２Ａを挿入する開口部１Ａ、１Ａ（図示しない）が、挿入部２Ａ、２Ａに適合する大きさの開口部１Ａ、１Ａであることが望ましい。
【００５３】  従って、この請求項３に於いては、切欠２Ｄは挟持部材５の螺線状のごく短い部分が、係止部材２の下側に潜り通過するに適宜な切欠２Ｄであって、ここに言う適宜とは、挟持部材５は螺旋状であるから、係止部材２を潜るように通過させるに際し、係止部材２の端面から見て、若干斜めの角度で横切り如くに通過する。このため、前記の角度に相当する幅を付加するか、或いは許容する形状であることが望ましく、欠切２Ｄの上部の内面と基板１の面に接し、押圧されて圧着される形で固定され、安定的に保持される事が望ましい。
【００５４】  また、この場合、基板１に設ける複数の開口部１Ａ、１Ａと切欠２Ｄの関係について述べれば、挟持部材５の巻き線の間に挿入部２Ａ、２Ａを挿入し、基板１に配置した後、挟持部材５に指輪等の装身具Ｒを挟持して保持した状態に於いて、挿入部２Ａ、２Ａが開口部１Ａ、１Ａから容易に脱落することなく、さらには挟持部材５に挟持した指輪等の装身具Ｒを抜き取る場合に於いても、挿入保持された挿入部２Ａ、２Ａが開口部１Ａ、１Ａから脱落することのない、大きさであって、例えば挿入部２Ａ、２Ａの末と元の周胴の寸法は同一でも良く、また末が若干細く、元を若干同太く形成することも可能である。
【００５５】  従って一例を挙げれば、挿入部２Ａ、２Ａは先端が開口部１Ａ、１Ａの内周に比較し若干小さく、挿入部２Ａ、２Ａの根元部分は開口部１Ａ、１Ａの内周と同じ寸法か或いは極めて微少に太く形成しても良く、素材の摩擦係数に合わせて形成することが望ましく、これは請求項２に於いても同様であることは言うまでも無い。
【００５６】  上記の如くであるから、これを使用するには、挟持部材５を手に持ち、適宜な位置に係止部材２の端部に設けた切欠２Ｄ付近を添えて、挟持部材５のコイル状に巻かれた線材（素材）を引き延ばすようにしながら、係止部材２を挟持部材５のコイル状に巻かれた線材の隙間に挿入し、更に、挿入部２Ａ、２Ａを基板１に設けた複数の開口部１Ａ、１Ａに挿入し保持する。
【００５７】  次に、挟持部材５を若干、引き伸ばして指輪等の装身具を挟持するに適した隙間を確保しながら、別の係止部材２の切欠２Ｄを介して、形成される挿入部２Ａ、２Ａを基板１に設けた複数に開口部１Ａ、１Ａに挿入し保持することで、指輪等の装身具Ｒを挟持することが可能となり、必要に応じて、前記の操作を繰り返すことにより、容易、且つ速やかに本発明の宝飾品等の保持具はその機能を発揮する状態にいたる（図１０）。
【００５８】  また、基板１の面に係止部材２によって係止され、指輪等の装身具Ｒを挟持する挟持部材５の隙間が、適切で無い場合、例えばリング部分の幅が異なる指輪等の装身具Ｒを挟持して保管しなければならない場合に於いては、係止部材２を一旦引き抜き、挟持部材５の隙間Ｐ又はＰ２を調整し、引き抜いた係止部材２を再び開口部１Ａ、１Ａに挿入し固定する事で極めて容易に挟持のための隙間Ｐ又はＰ２の変更が可能であり、工具等を用いること無く、極めて容易、且つ安定的に指輪や装身具Ｒを挟持部材５の取り付け構造として提供することが出来る。
【実施例】
【００５９】  以下、本発明の実施例１を図９に基づいて説明すると、平坦で適宜大きさの係止部材２の一端に切欠２Ｄを介して挿入部２Ａ、２Ａを形成し、更に切欠２Ｄの適宜な位置に通過部２Ｅを形成することができる物で、この実施例に於いては、挟持部材５を適宜な距離を開けて引き伸ばし、係止部材２を用いて基板１に配置固定する場合、挟持部材５は通過部２Ｅを介して、係止部材２の下側、換言すれば係止部材２と基板１（図示しない）の面によって圧着状態で固定保持されるから、本実施例に於いては請求項１又は請求項２又に記載の係止部３を形成する必要は無くなる。【００６０】  この実施例に於いても、基板１の複数の開口部１Ａ、１Ａ（図示しないが、図６を参照）に、本実施例の係止部材２に形成した挿入部２Ａ、２Ａを挿入保持するに於いて、開口部１Ａ、１Ａに挿入部２Ａ、２Ａ適合し、挿入しやすく抜け難いことが望ましく、例えば、係止部材２の面に揺れ止めＥを設けることも可能で開口部１Ａ、１Ａに挿入部２Ａ、２Ａに挿入保持した場合、挟持部材５の横揺れ等を防止を可能にすることもできる等、本発明の請求項３に示す宝飾品等の挟持部材の取り付け構造と同様の作用及び効果を得ることも可能となる。【００６１】  従って、係止部材２と揺れ止めＥの関係を述べれば、切欠２Ｅの略上端付近、装着状態に於ける挟持部材５の接する位置の内径部分に、この内径に入り込み、横揺れ等防止する、突出した揺れ止めＥを形成することも可能で、その形状は部分的でも良く、或いは内径の全周で有っても良く、製造しやすく、且つ低コストで実現可能なことが望ましい。【００６２】  更に揺れ止めＥは、挟持部材５に係止部材２を挿入する祭、障害とならない高さに設定すると良く、挟持部材５が通過部２Ｅを通過状態で基板１の面と係止部材２に依って圧接固定するのに加えて、挟持部材５の内側から揺れを抑制することで、指輪等の装身具Ｒを挿入時、又は引き抜き時の横揺れや縦揺れを抑制し安定的な宝飾品等の保持具を提供することができる。【００６３】  次に、本発明の実施例２を図１１に基づいて説明すると、図１１は開口部１Ａと挿入部２Ａに関する実施例を示す拡大の一部断面斜視図で、この実施例は複数の開口部１Ａ、１Ａと挿入部２Ａ、２Ａの挿入時の状況を、より確実に維持し、安定的に保持するための実施例に関するもので、挿入部２Ａの適宜位置に突起２Ｈを形成すると共に、挿入部２Ａに切欠２Ｆを形成したもので、この実施例では突起２Ｈを設けることで、開口部１Ａを挿入部２Ａが通過する際、突起２Ｈによって生ずる挿入部２Ａの嵩を回避するための逃げしろとするも可能である。【００６４】  突起２Ｈが開口部１Ａを通過した後に復元力と突起２Ｈの逃げしろを持たせるための切欠２Ｆであり、その作用、及びその効果を導くに充分な幅、及び深さの形状から成っていることが望ましく、本実施例を使用するの当たっては、挟持部材５の端部付近の適宜位置を若干引き延ばして、係止部材２の一端、挿入部２Ａ、２Ａの方向から挟持部材５の隙間に挿入し、略弧状の通過部２Ｅに挟持部材５の線材が入り込んだことを確認した後、挿入部２Ａ、２Ａを複数の開口部１Ａ、１Ａに挿入することで、係止部材２に依って安定的保持された状態を確認し、次の挟持部材５を適宜引き延ばして次の係止部材２を挟持部材５の隙間に挿入し、の通過部２Ｅに挟持部材５の線材が入り込んだことを確認した後、挿入部２Ａ、２Ａを複数の開口部１Ａ、１Ａに挿入すればよく、この実施例に於いても、基板１に係止部材２を容易且つ安定的に配置し、保持することができる。【００６５】  また、開口部１Ａから挿入部２Ａを抜き取り、又は、必要に応じて挟持部材５の隙間Ｐを変化させるには、基板１の裏面より若干突出した挿入部２Ａ、２Ａの先端部を押厚して基板１の裏面と同様の市場で押し込むことで、突起２Ｈの頂点は開口部１Ａ、１Ａ内に移動するから、挿入部２Ａ、２Ａを開口部１Ａ、１Ａから容易に引き抜くことができると共に、必要に応じ前記の作業を繰り返すことで基板１に係止部材２を適宜配置し又は適宜変更することが可能であるから、請求項２又は請求項３の宝飾品等の保持具に応用することも可能である。【００６６】  次に本発明の実施例３を図１２に基づいて説明すると、図１２は開口部１Ａと挿入部２Ａに関する実施例を示す拡大の一部断面斜視図で、平坦な基板１に形成した複数の開口部１Ａ、１Ａに挿入部２Ａ、２Ａを挿入保持することを目的とするもので、挿入部２Ａ、２Ａ適宜な厚みに形成し、その側面の適宜位置に突起２Ｊ、２Ｊを形成することも可能で、この時、挿入部２Ａ、２Ａと開口部１Ａ、１Ａ関係を述べれば、開口部１Ａ、１Ａの間隔を構成する外縁部の距離に対し、挿入部２Ａ、２Ａの外縁部の距離を適合する距離に形成し、開口部１Ａ、１Ａの内側間の距離は挿入部２Ａ、２Ａ間の距離より狭く形成することが望ましい。【００６７】  また、挿入部２Ａ、２Ａの側面の適宜な位置には突起２Ｊ、２Ｊを形成するが、この時開口部１Ａ、１Ａに挿入部２Ａ、２Ａを挿入した場合、突起２Ｊ、２Ｊが開口部１Ａ、１Ａを通過する祭、挿入部２Ａ、２Ａが若干内側にたわんで、開口部１Ａ内を容易に摺動することが望ましく、開口部１Ａ、１Ａ内を突起２Ｊ、２Ｊが通過した状態に於いては、挿入部２Ａ、２Ａの撓みは解消するから開口部１Ａ、１Ａの外側縁部の距離に挿入部２Ａ、２Ａの外側縁部の距離が適合し、基板１に係止部材２が安定的に保持されることが望ましい。【００６８】  更に、図１２に於いては係止部材２に形成された切欠２Ｄの上部に通過部２Ｅが設けてあるが、この実施例に於いては、基板１に係止部材２を固定する方法としての実施例であるから、請求項２又は請求項３及に於いても、併用が可能であることは言うまでも無い。【００６９】  従って、実施例３の作用と効果を述べれば、係止部材２に切欠２Ｄを介して形成された挿入部２Ａ、２Ａを開口部１Ａ、１Ａに添えて係止部材２の上方向から押圧すると、挿入部２Ａ、２Ａの先端から開口部１Ａ、１Ａに摺動し、突起２Ｊ、２Ｊが形成される部分に達すると、当然のことながら挿入部２Ａ、２Ａ間の幅より突起２Ｈ、２Ｈが突出状態にあるため、突起２Ｊの高さに応じて切欠２Ｄを介して形成される挿入部２Ａの幅は開口部１Ａより細く形成してある。【００７０】  言い換えれば、開口部１Ａの内部に於いては、挿入部２Ａとの間に充分なゆとり（緩み）を形成してあるから、この緩みのスペースが突起２Ｊの逃げ代の役割を果たすため、前記挿入部２Ａの一方の側部は開口部１Ａの内面に押されて沈み込み、突起２Ｊの頂点が開口部１Ａを通過する過程で、挿入部２Ａの一方の側面、換言すれば挿入部２Ａは開口部１Ａの内面押され、撓みながら開口部１Ａの内側に押さえ込まれ、沈み込む状態で通過し、開口部１Ａから突起２Ｊが出るに従って元の状態に復元し、基板１に挿入部２Ａは係止状態となる。【００７１】  また、必要に応じて係止部材２を基板１から抜き取る場合、挿入部２Ａ、２Ａの下方向から押圧することで挿入部２Ａ、２Ａは逆方向に移動し、工具等を用いること無く素手で容易に抜き取ることができ、所望の位置に移動し、再び挿入時と同様の操作を経れば係止部材２の間の距離を容易変更できるもので、通過部２Ｅを形成した場合に於いても、或いは係止部３を形成した場合に於いても、請求項２、又は請求項３の宝飾品等の保持具にも応用することができる。
【産業上の利用可能性】
【００７２】  上記の如くであるから、指輪やアクセサリー等を取り扱う業者や、又は、これらの製品を所有する個人等の収納保管手段として広く利用されることは確実であり、更には、部品として、挟持部材となるバネや基板、係止部等は新規な製造部門から市場まで構築される等産業上の利用の可能性は大きい。
【符号の説明】
【００７３】１  基板
２  係止部材
３  係止部
４  距離
５  挟持部材
Ｐ  間隔
Ｐ２  間隔
１Ａ  開口部
１Ｂ  外側縁部
１Ｃ  縁部
２Ａ  挿入部
２Ｈ  突起
２Ｅ  通過部
２Ｄ  切欠
２Ｆ  切欠
２Ｊ  突起
Ｅ  揺れ止め
２２  切欠
Ｒ  指輪等の装身具
Ｇ  逃げ代
【図１】
2018075336.tif 000003
【図２】
2018075336.tif 000004
【図３】
2018075336.tif 000005
【図４】
2018075336.tif 000006
【図５】
2018075336.tif 000007
【図６】
2018075336.tif 000008
【図７】
2018075336.tif 000009
【図８】
2018075336.tif 000010
【図９】
2018075336.tif 000011
【図１０】
2018075336.tif 000012
【図１１】
2018075336.tif 000013
【図１２】
2018075336.tif 000014